(57)【要約】【課題】熱交換器を通過する風量を増大させて十分に熱交換することのできる空気調和機の室外機の提供。【解決手段】室外機本体４に吸込口２及び吹出口３を設ける。吸込口２から吹出口３に至る空気流路５に熱交換器６を配置する。吸込口２から吸い込んだ空気を吹出口３に送る送風機７を設ける。室外機本体４の底板８に補助給気路１１を設けて吸込口２に給気する。補助給気路１１の吸気口９を底板８の下方に開口する。補助給気路１１の排気口１０を室外機本体４の外側かつ吸込口２の近傍に開口する。【選択図】  図４
2014047953.tif 000002
【特許請求の範囲】
【請求項１】
吸込口及び吹出口を有する室外機本体と、前記吸込口から前記吹出口に至る空気流路に配置された熱交換器と、前記吸込口から吸い込んだ空気を前記吹出口に送る送風機とを備えた室外機であって、前記室外機本体の底板に、該底板の下方に開口する吸気口から前記室外機本体の外側かつ前記吸込口の近傍に開口する排気口に至る補助給気路が設けられたことを特徴とする空気調和機の室外機。
【請求項２】
前記吸気口の開口面積が前記排気口の開口面積よりも大きく設定されたことを特徴とする請求項１に記載の空気調和機の室外機。
【請求項３】
前記排気口が上向きに開口されたことを特徴とする請求項１又は２に記載の空気調和機の室外機。
【請求項４】
前記補助給気路は、天面が傾斜して形成されたことを特徴とする請求項１、２又は３に記載の空気調和機の室外機。
【請求項５】
前記補助給気路は、天面が階段状に形成されたことを特徴とする請求項１、２又は３に記載の空気調和機の室外機。
【発明の詳細な説明】
【技術分野】
【０００１】
本発明は、空気調和機の室外機に関するものである。
【背景技術】
【０００２】
一般に、空気調和機の室外機は、主に背面側に設けられた吸込口から前面側の吹出口に至る空気流路に熱交換器を配置した構造とされ、背面を室外の壁面に対向させて設置して、送風機によって吸込口から吸込んだ空気を吹出口に送ることにより、熱交換器で熱交換するようになっている。
【０００３】
このような空気調和機の室外機について、例えば特許文献１は、熱交換器を通過する風速分布を熱交換器全体で均一にすることにより、熱交換効率の向上などを図るようにした技術を開示している。
【先行技術文献】
【特許文献】
【０００４】
【特許文献１】特開２００８−１２８５５３（段落番号０００７）
【発明の概要】
【発明が解決しようとする課題】
【０００５】
ところで、空気調和気の室外機は、吸込口を設けた背面側を壁面に対向させて設置することが多く、この場合、室外機の上方及び側方の空気が壁面との間を通って回り込むように吸込口に吸い込まれることになるため、特に、吸込口と壁面との間隔が狭くなるほど、熱交換器を通過する風量として、十分な風量を得にくくなりやすい。
【０００６】
これに対して、特許文献１の技術は、風速分布を均一にすることにより、同じ風量における熱交換効率を向上させることができるものの、十分な風量が得られない場合には、十分に熱交換することができず、空気調和機の性能が低下するおそれがある。
【０００７】
本発明は、熱交換器を通過する風量を増大させて十分に熱交換することのできる空気調和機の室外機の提供を目的とする。
【課題を解決するための手段】
【０００８】
上記目的を達成するために、本発明に係る空気調和機の室外機は、吸込口及び吹出口を有する室外機本体と、吸込口から吹出口に至る空気流路に配置された熱交換器と、吸込口から吸い込んだ空気を吹出口に送る送風機とを備えたものであり、室外機本体の底板に、この底板の下方に開口する吸気口から室外機本体の外側かつ吸込口の近傍に開口する排気口に至る補助給気路を設けたものである。
【０００９】
上記構成によれば、室外機本体の底板に補助給気路を設けるので、底板の下方と吸込口の近傍とを連通して、底板の下方の空間の空気を吸込口にスムーズに回り込ませることができる。これにより、室外機の上方及び側方の空気に加えて室外機の下方の空気を吸込口から吸い込むことができ、その分、熱交換器を通過する風量を増大させて十分に熱交換することができる。
【００１０】
さらに、吸気口の開口面積を排気口の開口面積よりも大きく設定するようにしてもよい。この構成によれば、補助給気路の吸気口の開口面積を大きくする分、吸気口の近傍における風速を小さく抑えることができ、底板の下方から空気を吸い込むことによる塵や埃の巻き上げを防止することができる。
【００１１】
さらに、補助給気路の排気口は、吸込口と並設したり吸込口と対向させたりすることもできるが、排気口を上向きに開口するようにしてもよい。この構成によれば、底板の下方から給気した空気を補助給気路の内部又は外部で流れ方向を無理に反転させることなく上向きに排気し、そのまま吸込口から吸い込むことができるので、底板の下方からの給気量を増大させることができ、しかも、補助給気路の構造を簡単にすることができる。
【００１２】
さらに、補助給気路をその天面を傾斜して形成するよういしてもよい。この構成によれば、補助空気路の傾斜した天面に沿わせて、底板の下方の空気を上向きに滑らかに導くことができ、底板の下方から吸込口への給気量を増大させることができる。
【００１３】
また、補助給気路をその天面を階段状に形成するようにしてもよい。この構成によれば、天面を階段状に形成するので、補助空気路の天面を全体として傾斜状にすることができ、底板の下方の空気を上向きにほぼ滑らかに導くと共に、その構造を簡単にすることができる。
【発明の効果】
【００１４】
以上のとおり、本発明によると、補助給気路を設けて室外機本体の底板の下方と室外機本体の外側かつ吸込口の近傍とを連通するので、底板の下方の空間の空気を吸込口にスムーズに回り込ませることができる。これにより、室外機の上方及び側方の空気に加えて室外機の下方の空気を吸込口に給気して、熱交換器を通過する風量を増大させることができ、十分な熱交換を可能にして空気調和機の性能を向上させることができる。
【図面の簡単な説明】
【００１５】
【図１】本発明に係る室外機の正面側から見た斜視図
【図２】本発明に係る室外機の背面側から見た斜視図
【図３】室外機の正面図
【図４】図３のＡ−Ａ断面図
【図５】補助給気路の断面図で、（ａ）は天面がテーパー状の補助給気路、（ｂ）は天面が上に凸の曲面状の補助給気路、（ｃ）は天面が下に凸の曲面状の補助給気路、（ｄ）は天面が階段状の補助給気路を示す
【発明を実施するための形態】
【００１６】
以下、本発明に係る空気調和機の室外機を実施するための形態について、図面を用いて説明する。
【００１７】
図１〜図４に示すように、室外機１は、吸込口２、別の吸込口（図示せず）及び吹出口３を有する室外機本体４と、吸込口２及び別の吸込口から吹出口３に至る空気流路５に配置された熱交換器６と、吸込口２及び別の吸込口から吸い込んだ空気を吹出口３に送る送風機７とを備え、室外機本体４の底板８に、底板８の下方に開口する吸気口９から室外機本体４の外側かつ吸込口２の近傍に開口する排気口１０に至る補助給気路１１が設けられている。
【００１８】
室外機本体４は、背面側に吸込口２が形成されると共に、一方の側面に背面側の吸込口２とは別の吸込口が形成され、正面側に吹出口３が形成された略直方体の箱状とされ、その内部に、吸込口２及び別の吸込口から吹出口３に至る空気流路５が構成される。室外機本体４の内部には、空気流路５に位置するよう熱交換器６及び送風機７が収容されると共に、仕切板（図示せず）によって空気流路５と仕切られた機械室（図示せず）に圧縮機（図示せず）が収容されている。
【００１９】
熱交換器６は、複数枚のフィン１２を伝熱管１３が蛇行状に貫通した構造とされ、全体としてＬ字形に構成される。この熱交換器６は、室外機本体４の内側から背面側の吸込口２及び側面の吸込口に臨むように設置され、背面側の吸込口２及び側面の吸込口から吸い込んだ空気を通過させて熱交換するようになっている。
【００２０】
送風機７は、空気を通過自在に構成された取付板１４を介して室外機本体４の内部の空気流路５に取り付けられ、背面側の吸込口２及び側面の吸込口から空気を吸込んで正面側の吹出口３から吹き出すように送風する。
【００２１】
室外機本体４の底板８は、周縁部に下向きに突出する周縁フランジ１５が形成された略長方形の板状とされ、その背面側の縁部が吸込口２よりも背面側に突出する大きさに形成されている。この底板８は、脚部１６を介して床面などの設置面に設置され、周縁フランジ１５の下縁と設置面との間に隙間１７が形成される。
【００２２】
補助給気路１１は、底板８の背面側で吸込口２よりも背面側に突出する部位に、排気口１０を上向きに開口するよう形成すると共に、底板８の周縁フランジ１５で囲まれた空間に、背面側ほど高くなる傾斜状の天面１８を設けてなり、周縁フランジ１５と天面１８とで囲まれた空間が吸気口９から排気口１０に至る補助給気路１１とされる。この補助給気路１１の吸気口９は、底板８の周縁フランジ１５の下縁によって構成され、吸気口９の開口面積が排気口１０の開口面積よりも大きく設定されている。
【００２３】
次に、空気調和機を運転したときの室外機１の様子を説明する。まず、空気調和機の運転時には、送風機７が背面側の吸込口２及び側面の吸込口から空気を吸い込んで正面側の吹出口３から吹き出すように送風する。これにより、吸い込んだ空気が空気調和機の冷凍サイクルの一部を構成する熱交換器６を通過し、この熱交換器６を通過する空気と熱交換器６の伝熱管１３の内部を流れる冷媒との間で熱交換される。
【００２４】
室外機１は、例えば背面を室外の壁面に対向させて設置され、背面側の吸込口２には、室外機１の上方及び側方の空気が室外機１の背面側と壁面との間を通って回り込むように吸い込まれる。
【００２５】
さらに、吸込口２がその周囲の空気を吸い込むことにより、底板８の下面側に設けられた補助給気路１１の内部の空気が吸込口２の近傍に位置する排気口１０から排出されて吸込口２に給気される。また、補助給気路１１には、室外機１の設置面付近から底板８の周縁フランジ１５の下縁と設置面との間の隙間１７を通って底板８の下方に侵入した空気が底板８の下方に開口する吸気口９から給気される。その際、吸気口９の開口面積が排気口１０の開口面積よりも大きいので、吸気口９における風速が小さく抑えられ、設置面から塵や埃が舞い上がることがない。
【００２６】
これにより、室外機１の設置面付近の空気が、傾斜状の天面１８に沿って滑らかに回り込むように、補助給気路１１を通って排気口１０から排出され、背面側の吸込口２に給気される。このように、底板８の下面側の補助給気路１１を介して室外機１の下方からも吸込口２に給気されるので、吸込口２と背面側の壁面との間隔が狭い場合であっても、熱交換器６を通過する風量として、十分な風量を得ることができる。
【００２７】
なお、本発明は、上記の実施の形態に限定されるものではなく、本発明の範囲内において、適宜変更を加えることができる。例えば、図５に示すように、補助給気路１１は、その天面１８をテーパー状に形成するだけでなく（図５（ａ）参照）、上に凸の曲面状に形成しても（図５（ｂ）参照）、下に凸の曲面状に形成してもよく（図５（ｃ）参照）、さらに、天面１８を階段状に形成してもよい。
【符号の説明】
【００２８】
１      室外機
２      吸込口
３      吹出口
４      室外機本体
５      空気流路
６      熱交換器
７      送風機
８      底板
９      吸気口
１０    排気口
１１    補助給気路
１２    フィン
１３    伝熱管
１４    取付板
１５    周縁フランジ
１６    脚部
１７    隙間
１８    天面
【図１】
2014047953.tif 000003
【図２】
2014047953.tif 000004
【図３】
2014047953.tif 000005
【図４】
2014047953.tif 000006
【図５】
2014047953.tif 000007